(57)【要約】      （修正有）【課題】精米や無洗米又は玄米若しくはその他の穀物や焼酎・清涼飲料等の飲料用液体又は化成肥料等の粉粒物を充填したり、詰め替えたりする場合に便利なペットボトルの注ぎ口用ジョイント具を提供する。【解決手段】ペットボトル１の雄ねじの口ねじ部２に螺合する雌ねじ４を有するねじ筒体３を当該ペットボトル１の口ねじ部の高さｈの少なくとも２倍以上の長さＬの筒体にしてペットボトルの注ぎ口用ジョイント具を構成する。【選択図】図１
0003166006.tif 000002
【実用新案登録請求の範囲】
【請求項１】
ペットボトル(1)の雄ねじの口ねじ部(2)に螺合する雌ねじ(4)を有するねじ筒体(3)を当該ペットボトル(1)の内径に口ねじ部の高さ(h)の少なくとも２倍以上の長さ(L)にすることを特徴とするペットボトルの注ぎ口用ジョイント具。
【請求項２】
ペットボトル(1)の雄ねじの口ねじ部(2)に螺合する雌ねじ(4)を同一径にし、又は異径の雌ねじ(4′)にした請求項１記載のペットボトルの注ぎ口用ジョイント具。
【請求項３】
ペットボトル(1)の雄ねじの口ねじ部(2)に螺合する雌ねじ(4)の長さ(L)を３〜１０倍程度に設定できるようにした請求項１ないしは２記載のペットボトルの注ぎ口用ジョイント具。
【考案の詳細な説明】
【技術分野】
【０００１】
本考案は、ペットボトルの注ぎ口用ジョイント具に関するもので、精米や無洗米又は玄米若しくはその他の穀物（以下、「米穀」という。）や焼酎等の液体又は化成肥料等の粉粒物を充填したり、詰め替えたりする場合に便利なものとして実用品を提供することにある。
そして、本考案はペットボトルの注ぎ口に、例えば米穀を充填して店頭販売や通信販売に供し、又はその米穀を使い切った空のペットボトルに詰め足して冷蔵庫に収納保冷したり、他の保存庫等に保存する場合に適合するようにしたものである。
また、例えば２７００Ｌ（リットル）ほどの大容量入りペットボトルで販売されている焼酎を５００ｍｌ（ミリリットル）や１Ｌの比較的小容量のペットボトルに小分けして収納する場合等に適合するようになっている。
【背景技術】
【０００２】
最近は、米食の減少傾向と小家族化等に伴って、一般家庭において多量の米を米びつ等の保存容器に保管することが少なくなっている。代わりに、品質の保持や防虫のために各家庭に備わっている冷蔵庫に米穀をポリ容器やポリ袋に小分けして詰め込んで保存するようなことが日常化している。
【０００３】
ところで、上記ポリ容器やポリ袋の代わりに市販の大きいサイズ（例えば、２リットル入り）での中身を使いきったペットボトルに詰め込んで保存すると共に、取り出し時に所望の量を計れる計量カップ兼用とした漏斗や、必要量だけを計量して取り出せるようにした器具や、ペットボトルに漏斗を装着する連結具なども開示されている。
【先行技術文献】
【特許文献】
【０００４】
【特許文献１】特許第３４９４３６４号公報
【特許文献２】実用新案登録第３１５３６４２号公報
【特許文献３】特開閉０８−２７６９１３号公報
【考案の概要】
【考案が解決しようとする課題】
【０００５】
上記の特許文献1の発明は、米などの食品類をペットボトルに詰め込む際にボトル飲み口部のねじ部外側に当該漏斗の狭口部を当接させた上、漏斗全体を手で回しながら上記ペットボトルに螺着・固定すると共に、詰め込み終了後は再度漏斗全体を逆回しに回してペットボトルの口部の螺合を解いた後、その狭口部を逆さにして再度漏斗全体を振り回しながらペットボトルの口部にねじ込み、その後、別途用意したキャップ栓を前記狭口部にねじ込んで蓋をするものであるため、漏斗の着脱操作が煩わしいことと、漏斗全体を手で回す際に角形のペットボトルだと漏斗の広口部が前記ペットボトル外周の角部に引っ掛かって回し難いという課題を有している。
【０００６】
特許文献２の発明にあっては、計量用のカップ部材と漏斗と別個に具備し、また、ペットボトル１５に漏斗２とカップ部材２２とアダプター９を装着した場合は、ペットボトル専用の蓋を使うことができず、ペットボトル１５の注入口１６は必ず別個に専用のカップ部材２２で塞ぐ構成になっている。したがって、部品点数が多くなると共に、既製のペットボトルの蓋を使うことができない。さらに、漏斗２のボス５にはアダプター９が装着されているから、ペットボトルの注入口１６にキャップをしたままでは、漏斗２の開口４を被せることができない等の課題を有している。
【０００７】
特許文献３の発明は、に専用の連結具の上部外筒１にジョウゴ１０の注ぎ口用メネジ２を、下部外筒に容器の注ぎ口用メネジをそれぞれ設け、且つ上部外筒の有孔底部に注入筒４を下部外筒の中心を通って垂下して設けてある。
上記の発明にあっては、連結具の下部の外筒の中に内筒となる注入筒４を当該外筒と別の部材でそのため、連結具の構造が複雑であると共に、外筒、注入口、上下２個のパッキンを必要として部品点数が多くなるという課題がある。
【０００８】
本考案は上記の従来の発明の課題を解決し、あらかじめ米穀等を充填したペットボトルの口部のキャップ用ねじに螺合する筒形ジョイント体の一端を結合し、他端を空のペットボトルの口ねじ部に結合し、空のペットボトルを下にし、中身の入ったペットボトルを上にすることによって、簡単に空の容器に中身を移し替えることができるようにしたことを目的とする。
【０００９】
本考案の第１は、ペットボトルの注ぎ口用ジョイント具において、ペットボトルの口ねじ部に螺合する雌ねじを有するねじ筒体を当該ペットボトルの口ねじ部の高さの少なくとも２倍以上の長さにするものである。
【００１０】
本考案の第２は、第２の考案に係るペットボトルの注ぎ口用ジョイント具において、ペットボトルの雄ねじの口ねじ部に螺合するねじ筒体の雌ねじ部を同一径にし、又は異径の雌ねじにしたものである。
【００１１】
本考案の第３は、第１ないしは第２の考案に係るペットボトルの注ぎ口用ジョイント具において、ねじ筒体の長さをねじ部の高さの５〜１０倍程度の長さに設定したものである。
【考案の効果】
【００１２】
本考案は上記の構成であるから次の効果がある。すなわち、あらかじめ２Ｌ程度の比較的大容量の容器に精米又は無洗米を充填して閉蓋して販売されているペットボトルに雌ねじ付き筒体の一端を結合し、他端を例えば５００ｍｌ（ミリリットル）入り程度の小容量で空のペットボトルの口ねじ部に結合することによって、確実に詰め替えをすることができる。
【００１３】
また、２．７Ｌ程度の比較的大容量の容器に焼酎等の飲料を充填して閉蓋して販売されているペットボトルに雌ねじ付き筒体の一端を結合し、他端を例えば５００ｍｌ入り程度の小容量で空のペットボトルの口ねじ部に結合することによって、確実に詰め替えをすることができる。
【００１４】
なお、ペットボトルに米穀を充填して販売する場合において、この購入者は米穀入りペットボトルを中身を使い切るまでは、冷蔵庫に他の飲料容器と同じ要領で収納保存しておくことができる。
【００１５】
そして、本考案の使用にあたっては、ペットボトルを開蓋し、そのペットボトルの口ねじ部にねじ筒体の一端を螺合して結合し、他端を空のペットボトルの口ねじ部に螺合して結合した後、空のペットボトルを下側に位置し、中身の入ったペットボトルを上側に位置するだけで空のペットボトルに移し換えることが簡単に行える。
【００１６】
或いは、２本一対で空のペットボトルに砂を詰めておき、そのペットボトルの口ねじ部をねじ筒体の両端部に螺合して結合すると、簡易にして恰も鉄亜鈴の代用品として使用することができる。
【００１７】
さらに、ねじ筒体は例えば一端側の口径を細径（例えば、２８ｍｍ）とし、他端側を大径部（例えば、３９ｍｍ）としてペットボトルの異径口ねじ部に適合するようにしておくこともできる。
【図面の簡単な説明】
【００１８】
【図１】本考案に係るジョイント具を精米又は液体等中身が入っているペットボトルの口ねじ部に螺合結合した状態を示す一部縦断面図である。
【図２】図1の状態でジョイント具の他端を中身入りのペットボトルの口ねじ部に螺合結合して当該中身入りのペットボトルを上側に位置させた状態の一部縦断正面図である。
【図３】はジョイント具の斜視図である。
【図４】は両端に同径の雌ねじを有するジョイント具の縦断正面図である。
【図５】は両端に異径の雌ねじを有するジョイント具の縦断正面図である。
【考案を実施するための形態】
【実施例】
【００１９】
本考案の実施例を図面に即して説明する。図１において、１は精米、玄米その他の米穀又は焼酎。清涼飲料等の引用液体が充填されているペットボトルであり、合成樹脂の一種であるポリエチレンテレフタレート（ＰＥＴ）を材料とする市販の容器を用いるものとし、その大きさは１９０ｍｌから２Ｌまでの間に各種内容量があり、その中には、２．７〜４Ｌ等もあるが、移し替えには、ある程度の大容量(例えば、２Ｌないしは２．７Ｌ)中身が充填されているペットボトルが適当である。
【００２０】
図２において、１′は、空のペットボトルであり、通常は、５００ｍｌ、１Ｌ、２Ｌ等が普及している。図示例は５００ｍｌ入りのペットボトルである。当該ペットボトルの形状は横断面円形のほか、略正四角形、その他の多角形等任意である。
【００２１】
図１において、２はペットボトル１の注ぎ口２１の外周に設けてある雄ねじの口ねじ部であり、閉蓋用のねじキャップ（図示省略）が外されている状態を示す。３は当該口ねじ部２に螺合する雌ねじ４を全長に亘って設けてあるねじ筒体である。上記のねじ筒体の長さは、少なくともペットボトルの口ねじ部２の高さｈ（約１５ｍｍ）の２倍以上に設定するものである。そして中身の詰め替え以外の用途、例えばねじ筒体を握り部とするような場合は、さらにねじ部２の高さｈの５〜１０倍の長さＬにすることもある。
【００２２】
図１において、１は精米その他の穀物又は焼酎又は清涼飲料等の飲料液体の中身を充填してあるペットボトル（一部省略）であり、本考案に係るねじ筒体３の雌ねじ４を当該ペットボトルの口ねじ部２に螺合結合した状態を示すものである。
【００２３】
図３は、図２の中身を充填してあるペットボトル１の口ねじ部２に螺合結合した状ねじ筒体３の他端に空のペットボトル１′の口ねじ部２′を螺合結合し、当該空のペットボトル１′を下側に位置して注ぎ口２１′を上向きにし、且つ中身入りペットボトル１を上側位置して注ぎ口２１を下向きに位置させた状態の正面図である。
【００２４】
図４及び図５において、ねじ筒体３の雌ねじ４は、ペットボトルの注ぎ口の径が通常は比較的狭口ｒ′（例えば２８ｍｍ）又は広口ｒ″（例えば３９ｍｍ）の２種類であることに鑑み、２種類を用意し、全長Ｌに亘って同一径に設定してある。
【００２５】
図６において、ねじ筒体３の雌ねじ４を全長Ｌの約半分を狭口ｒ′用とし、残り半分を広口ｒ″用の雌ねじ４′に設定してある。この場合、ねじ筒体３の外径は、ペットボトルの注ぎ口の広狭に応じて上半部と下半部が異径（実線）を示すが、用途に合わせて同径(鎖線示３′)にすることもできる。
なお、図１において、先端部の抽出口が細い通常の漏斗を用い、空のペットボトル１′の注ぎ口２１′内に当該抽出口を挿入し、ねじ筒体３を装着したままのペットボトル１から中身を詰め替えることができる。図中Ｓは、ペットボトル１、１′の肩部１aから底部に向けてプラスチックフィルムで収縮被着した成分表・ブランド名等を印刷表示したシュリンクを示す。
【００２６】
「具体的な使用例１：中身入りのペットボトルから小容量ペットボトルへの移し替え」
(1) 中身入りのペットボトル１の口ねじ部２からキャップを外し、代わりにねじ筒体３の雌ねじ部４を口ねじ部を螺合して結合する（図１）。
(2) 空のペットボトル１′を逆さにして下に向けた口ねじ部２′を中身入りペットボトル１に結合してあるねじ筒体３に螺合して結合する。
(3) 中身入りのペットボトル１を逆さにして垂直又は斜め上にする（図２）。
(4) 上側に位置するペットボトル１の中身が注ぎ口２１を通して徐々に下の空のペットボトル１′に注ぎ込まれて充填に至る。
(5) 空のペットボトル１′に所定量の充填が終了した時点で、当該ペットボトル１′の口ねじ部２′からねじ筒体３を外し、代わりに専用のねじキャップをペットボトルの１′の注ぎ口２１′を閉蓋する。
(6) そして、ペットボトル１又は１′の注ぎ口２が狭口ｒ′に対して広口ｒ″の場合は、図６のねじ筒体３を用い、広口用の雌ねじ部４′を広口の注ぎ口の口ねじ部に螺合するようにする。
(7) なお、上記(1)において、ねじ筒体３を中身入りのペットボトル１の口ねじ部２に結合する代わりに、予め空のペットボトル１′の口ねじ部２′に結合しておくこともできる。
【００２７】
「具体的な使用例２：鉄亜鈴代わりに使用する場合の結合」
２本一対で、同じ容量入りの空のペットボトル１又は１′に砂を充填し、その両ペットボトルの口ねじ部２又は２′をねじ筒体３で螺合結合する。これにより、中央部のねじ筒体３及びその周辺を握り部として簡易の鉄亜鈴代わりとして使用することができるように３倍から１０倍程度の長さに設定する。具体的には、片手で握れる程の長さ（約４．５〜１５ｃｍ）に設定するのを可とする。
【産業上の利用可能性】
【００２８】
本考案は、米穀のうち、特に精米又は無洗米若しくは玄米等の主食の促進をするために提供するものであるが、他の穀物である麦、豆類、粉粒状の食物の充填や詰め替えにも使用することができる。また、本考案におけるペットボトル同士を連結するジョイント具は、飲料用として、例えば、２．７Ｌや４Ｌ入りの焼酎ボトルから飲み易い５００ｍｌや１Ｌ入り程度のペットボトルに詰め替える場合等にも好適である。さらに化学肥料の粉粒物を大きな容器から適宜の容量入りのペットボトルに小分けして詰め替えることにも好適である。
【符号の説明】
【００２９】
１……中身入りのペットボトル
１′…空のペットボトル
２……雄ねじの口ねじ部
２１… 注ぎ口
３……ねじ筒体
４……雌ねじ部
４′…異形の雌ねじ
【図１】
0003166006.tif 000003
【図２】
0003166006.tif 000004
【図３】
0003166006.tif 000005
【図４】
0003166006.tif 000006
【図５】
0003166006.tif 000007
【手続補正書】
【提出日】平成22年11月2日(2010.11.2)
【手続補正１】
【補正対象書類名】明細書
【補正対象項目名】００１７
【補正方法】変更
【補正の内容】
【００１７】
さらに、ねじ筒体は例えば一端側の口径を細径（例えば、口ねじ部の外径に相当する内径２８ｍｍ）とし、他端側を大径部（例えば、口ねじ部の外径に相当する内径３８ｍｍ）としてペットボトルの異径口ねじ部に適合するようにしておくこともできる。
【手続補正２】
【補正対象書類名】明細書
【補正対象項目名】００２４
【補正方法】変更
【補正の内容】
【００２４】
図４及び図５において、ねじ筒体３の雌ねじ４は、ペットボトルの注ぎ口の径が通常は比較的細径（狭口）（例えば、５００ｍｍｌや１Ｌ入りペットボトルの口ねじ部の外径に相当する内径ｒ′２８ｍｍ）又は大径（広口）（例えば、２．７Ｌ又は４．０Ｌ入りペットボトルの口ねじ部の外径に相当する内径ｒ″３８ｍｍ）の２種類であることに鑑み、２種類を用意し、全長Ｌに亘って同一径に設定してある。
【手続補正３】
【補正対象書類名】図面
【補正対象項目名】図４
【補正方法】変更
【補正の内容】
【図４】
0003166006.tif 000008
【手続補正書】
【提出日】平成22年11月4日(2010.11.4)
【手続補正１】
【補正対象書類名】明細書
【補正対象項目名】０００１
【補正方法】変更
【補正の内容】
【０００１】
本考案は、ペットボトルの注ぎ口用ジョイント具に関するもので、精米や無洗米又は玄米若しくはその他の穀物（以下、「米穀」という。）や焼酎等の液体又は化成肥料等の粉粒物を充填したり、詰め替えたりする場合に便利なものとして実用品を提供することにある。
そして、本考案はペットボトルの注ぎ口に、例えば米穀を充填して店頭販売や通信販売に供し、又はその米穀を使い切った空のペットボトルに詰め足して冷蔵庫に収納保冷したり、他の保存庫等に保存する場合に適合するようにしたものである。
また、例えば２．７Ｌ（リットル）ほどの大容量入りペットボトルで販売されている焼酎を５００ｍｌ（ミリリットル）や１Ｌの比較的小容量のペットボトルに小分けして収納する場合等に適合するようになっている。
【手続補正書】
【提出日】平成22年12月7日(2010.12.7)
【手続補正１】
【補正対象書類名】実用新案登録請求の範囲
【補正対象項目名】全文
【補正方法】変更
【補正の内容】
【実用新案登録請求の範囲】
【請求項１】
ペットボトル(1)の雄ねじの口ねじ部(2)に螺合する雌ねじ(4)を有するねじ筒体(3)の長さ(L)を当該口ねじ部(2)の高さ(h)の少なくとも２倍以上に設定することを特徴とするペットボトルの注ぎ口用ジョイント具。
【請求項２】
口ねじ部(2)に一端部が螺合する径(r)の雌ねじ(4)を有するねじ筒体(3)の他端部を当該雌ねじ(4)と同一径(r′)にし、又は異径（r″）にした請求項１記載のペットボトルの注ぎ口用ジョイント具。
【請求項３】
口ねじ部(2)に螺合するねじ筒体(3)の長さ(L)を当該口ねじ部(2)の高さ(h)の３〜１０倍程度に設定した請求項１ないしは２記載のペットボトルの注ぎ口用ジョイント具。
【手続補正２】
【補正対象書類名】明細書
【補正対象項目名】０００９
【補正方法】変更
【補正の内容】
【０００９】
本考案の第１は、ペットボトルの注ぎ口用ジョイント具において、ペットボトルの雄ねじの口ねじ部に螺合する雌ねじを有するねじ筒体の長さを当該口ねじ部の高さの少なくとも２倍以上に設定するようにしたものである。
【手続補正３】
【補正対象書類名】明細書
【補正対象項目名】００１０
【補正方法】変更
【補正の内容】
【００１０】
本考案の第２は、第１の考案に係るペットボトルの注ぎ口用ジョイント具において、口ねじ部に一端部が螺合する径の雌ねじを有するねじ筒体の他端部を当該雌ねじと同一径にし、又は異径にしたものである。
【手続補正４】
【補正対象書類名】明細書
【補正対象項目名】００１１
【補正方法】変更
【補正の内容】
【００１１】
本考案の第３は、第１ないし第２の考案に係るペットボトルの注ぎ口用ジョイント具において、口ねじ部に螺合するねじ筒体の長さを当該口ねじ部の高さの３〜１０倍程度に設定したものである。